(57)【要約】      （修正有）【課題】良好な映像を表示でき、天井への映像の映り込みを極力低減できる反射スクリーン、及び、これを備える映像表示システムを提供する。【解決手段】反射スクリーン１０は、レンズ面と非レンズ面とを有し背面側に凸となる単位レンズ１３１が複数配列されたフレネルレンズ形状を背面側に有するレンズ層１３と、少なくとも単位レンズ１３１のレンズ面に形成され、光を反射する反射層１２と、この反射スクリーン１０の映像源ＬＳ側に設けられ、その映像源ＬＳ側の面に微細凹凸形状が形成されている表面層１５とを備えるものとした。この表面層１５は、そのヘイズ値Ｈが、２０％≦Ｈ≦４０％を満たすものとした。【選択図】図２
2013130837.tif 000002
【特許請求の範囲】
【請求項１】
映像源から投影された映像光を反射させて観察可能に表示する反射スクリーンであって、
レンズ面と非レンズ面とを有し背面側に凸となる単位レンズが複数配列されたフレネルレンズ形状を背面側に有するレンズ層と、
少なくとも前記単位レンズの前記レンズ面に形成され、光を反射する反射層と、
前記映像源側に設けられ、映像源側の面に微細凹凸形状が形成されている表面層と、
を備え、
前記表面層は、そのヘイズ値Ｈが、２０％≦Ｈ≦４０％を満たすこと、
を特徴とする反射スクリーン。
【請求項２】
請求項１に記載の反射スクリーンにおいて、
前記表面層は、映像源側の面の表面粗さである算術平均粗さＲａ（ＪＩＳ  Ｂ０６０１−２００１）が、０．２μｍ≦Ｒａ≦２．０μｍを満たすこと、
を特徴とする反射スクリーン。
【請求項３】
請求項１又は請求項２に記載の反射スクリーンにおいて、
前記表面層の前記微細凹凸形状は、複数不規則に配列された微小な凸部により形成されていること、
を特徴とする反射スクリーン。
【請求項４】
請求項１から請求項３までのいずれか１項に記載の反射スクリーンにおいて、
前記表面層は、電離放射線硬化型樹脂により形成されていること、
を特徴とする反射スクリーン。
【請求項５】
請求項１から請求項４までのいずれか１項に記載の反射スクリーンにおいて、
前記単位レンズが配列されて形成するフレネルレンズの光学的中心は、該反射スクリーンの画面外にあること、
を特徴とする反射スクリーン。
【請求項６】
請求項１から請求項５までのいずれか１項に記載の反射スクリーンにおいて、
少なくとも前記非レンズ面には、光を吸収する光吸収層が形成されていること、
を特徴とする反射スクリーン。
【請求項７】
請求項１から請求項６までのいずれか１項に記載の反射スクリーンにおいて、
前記レンズ層よりも映像源側に、光を拡散する光拡散層、又は、所定の濃度に着色された着色層の少なくとも１つを有すること、
を特徴とする反射スクリーン。
【請求項８】
請求項１から請求項７までのいずれか１項に記載の反射スクリーンと、
前記反射スクリーンに映像光を投射する映像源と、
を備える映像表示システム。
【発明の詳細な説明】
【技術分野】
【０００１】
本発明は、投射された映像光を反射して表示する反射スクリーン、及び、これを備える映像表示システムに関するものである。
【背景技術】
【０００２】
近年、反射スクリーンに映像を投射する映像源として、至近距離から比較的大きな入射角度で映像光を投写して大画面表示を実現する短焦点型の映像投射装置（プロジェクタ）等が広く利用されている。このような短焦点型の映像投射装置は、反射スクリーンに対して、上方又は下方から従来の映像源よりも大きな入射角度で投射することができ、反射スクリーンを用いた映像表示システムの省スペース化等に寄与している。
このような短焦点型の映像投射装置によって投射された映像光を良好に表示するために、単位レンズが複数配列されて形成されたリニアフレネルレンズ形状やサーキュラーフレネルレンズ形状を有するレンズ層の表面に反射層を形成した反射スクリーン等が様々に開発されている（例えば、特許文献１，２）。
【先行技術文献】
【特許文献】
【０００３】
【特許文献１】特開平８−２９８７５号公報
【特許文献２】特開２００８−７６５２３号公報
【発明の概要】
【発明が解決しようとする課題】
【０００４】
上述のような反射スクリーンの下方であって反射スクリーンに対して至近距離から大きな入射角度で映像光を投射する映像源を使用する映像表示システムでは、映像光の一部が、反射スクリーンの映像源側表面で反射して天井等に到達し、天井に映像が映り込む場合がある。このような天井への映像の映り込みは、室内が暗い場合にはその明るさが目立ち好ましくない。また、投射された映像が特に動画である場合には、天井の映り込み部分にも動画が不明瞭ではあるが視認されるため、反射スクリーンに投射された映像の快適な視認の妨げとなるという問題があった。
【０００５】
従来の反射スクリーンには、このような天井への映像の映り込みの改善をなしたものはない。また、上述の特許文献１，２においても、天井への映像の映り込みを改善するための対策は、なんら開示されていない。
加えて、反射スクリーンを用いた映像表示システムとして、良好な映像を表示可能とすることは、常々求められる事である。
【０００６】
本発明の課題は、良好な映像を表示でき、天井への映像の映り込みを極力低減できる反射スクリーン、及び、これを備える映像表示システムを提供することである。
【課題を解決するための手段】
【０００７】
本発明は、以下のような解決手段により、前記課題を解決する。なお、理解を容易にするために、本発明の実施形態に対応する符号を付して説明するが、これに限定されるものではない。
請求項１の発明は、映像源（ＬＳ）から投影された映像光（Ｌ）を反射させて観察可能に表示する反射スクリーンであって、レンズ面（１３１ａ）と非レンズ面（１３１ｂ）とを有し背面側に凸となる単位レンズ（１３１）が複数配列されたフレネルレンズ形状を背面側に有するレンズ層（１３）と、少なくとも前記単位レンズの前記レンズ面に形成され、光を反射する反射層（１２）と、前記映像源側に設けられ、映像源側の面に微細凹凸形状が形成されている表面層（１５）と、を備え、前記表面層は、そのヘイズ値Ｈが、２０％≦Ｈ≦４０％を満たすこと、を特徴とする反射スクリーンである。
請求項２の発明は、請求項１に記載の反射スクリーンにおいて、前記表面層（１５）は、映像源側の面の表面粗さである算術平均粗さＲａ（ＪＩＳ  Ｂ０６０１−２００１）が、０．２μｍ≦Ｒａ≦２．０μｍを満たすこと、を特徴とする反射スクリーン（１０）である。
請求項３の発明は、請求項１又は請求項２に記載の反射スクリーンにおいて、前記表面層（１５）の前記微細凹凸形状は、複数不規則に配列された微小な凸部（１５１）により形成されていること、を特徴とする反射スクリーン（１０）である。
請求項４の発明は、請求項１から請求項３までのいずれか１項に記載の反射スクリーンにおいて、前記表面層（１５）は、電離放射線硬化型樹脂により形成されていること、を特徴とする反射スクリーン（１０）である。
請求項５の発明は、請求項１から請求項４までのいずれか１項に記載の反射スクリーンにおいて、前記単位レンズ（１３１）が配列されて形成するフレネルレンズの光学的中心は、該反射スクリーンの画面外にあること、を特徴とする反射スクリーン（１０）である。
請求項６の発明は、請求項１から請求項５までのいずれか１項に記載の反射スクリーンにおいて、少なくとも前記非レンズ面（１３１ｂ）には、光を吸収する光吸収層（１１）が形成されていること、を特徴とする反射スクリーンである。
請求項７の発明は、請求項１から請求項６までのいずれか１項に記載の反射スクリーンにおいて、前記レンズ層（１３）よりも映像源側に、光を拡散する光拡散層（１４１）、又は、所定の濃度に着色された着色層（１４２）の少なくとも１つを有すること、を特徴とする反射スクリーン（１０）である。
請求項８の発明は、請求項１から請求項７までのいずれか１項に記載の反射スクリーン（１０）と、前記反射スクリーンに映像光を投射する映像源（ＬＳ）と、を備える映像表示システム（１）である。
【発明の効果】
【０００８】
本発明によれば、良好な映像を表示でき、天井への映像の映り込みを極力低減できる反射スクリーン、及び、これを備える映像表示システムを提供することができる。
【図面の簡単な説明】
【０００９】
【図１】実施形態の映像表示システム１を説明する図である。
【図２】実施形態の反射スクリーン１０の層構成を説明する図である。
【図３】実施形態のレンズ層１３を説明する図である。
【図４】表面層１５の厚み方向に平行な断面の一部を拡大して示した図である。
【図５】反射スクリーン１０へ入射する映像光や外光の様子を説明する図である。
【図６】天井への映像の映りこみを評価する評価方法を模式的に示した図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、適宜置き換えることができるものとする。
さらに、本明細書中に記載する各部材の寸法等の数値及び材料名等は、実施形態としての一例であり、これに限定されるものではなく、適用可能な範囲内で適宜選択して使用してよい。
【００１１】
（実施形態）
図１は、本実施形態の映像表示システム１を説明する図である。図１（ａ）は、映像表示システム１の斜視図であり、図１（ｂ）は、映像表示システム１の側面図である。
映像表示システム１は、反射スクリーン１０、映像源ＬＳ等を有している。本実施形態の映像表示システム１は、映像源ＬＳから投影された映像光Ｌを反射スクリーン１０が反射して、その画面上に映像を表示する一般的な映像表示システムである。
なお、映像表示システム１は、これに限らず、例えば、映像光を映像源ＬＳから投射するフロントプロジェクションテレビシステム等としてもよいし、反射スクリーン１０と映像源ＬＳと反射スクリーンの観察画面上の入力部の位置を検出する位置検出部やパーソナルコンピュータ等を備えたインタラクティブボードシステムとしてもよい。
【００１２】
映像源ＬＳは、映像光Ｌを反射スクリーン１０へ投射する装置であり、汎用の短焦点型プロジェクタ等を用いることができる。この映像源ＬＳは、使用状態において、反射スクリーン１０の画面を法線方向（スクリーン面の法線方向）から見た場合に、反射スクリーン１０の画面左右方向において中央であって、反射スクリーン１０の画面（表示領域）よりも下方側となる位置に配置されている。なお、スクリーン面とは、この反射スクリーン全体として見たときにおける、反射スクリーンの平面方向となる面を示すものである。
この映像源ＬＳは、反射スクリーン１０の画面に直交する方向（反射スクリーン１０の厚み方向）における反射スクリーン１０との距離が、従来の汎用プロジェクタに比べて大幅に近い位置から映像光Ｌを投射できる。即ち、この映像源ＬＳは、従来の汎用プロジェクタに比べて、反射スクリーン１０までの投射距離が短く、その映像光Ｌの反射スクリーン１０に対する入射角度も大きい。
【００１３】
反射スクリーン１０は、映像源ＬＳが投射した映像光Ｌを観察者Ｏ側へ向けて反射し、映像を表示するスクリーンである。使用状態において、この反射スクリーン１０の観察画面は平面状であり、観察者Ｏ側から見て、その観察画面は、長辺方向が画面左右方向となる略矩形状である。
なお、以下の説明中において、画面上下方向、画面左右方向、厚み方向とは、特に断りが無い場合、この反射スクリーン１０の使用状態における画面上下方向（鉛直方向）、画面左右方向（水平方向）、厚み方向（奥行き方向）であるとする。
【００１４】
反射スクリーン１０は、その背面側に、平板状の支持板５０が、粘着材等からなる不図示の接合層を介して設けられており、この支持板５０により、その平面性を維持している。なお、これに限らず、反射スクリーン１０は、不図示の枠部材等によって支持され、その平面性を維持する形態としてもよい。
この反射スクリーン１０は、対角８０インチや１００インチ等の大きな画面（表示領域）を有している。本実施形態の反射スクリーン１０は、例えば、画面のサイズが対角８０インチサイズ（１７７１×９９６ｍｍ）である。
【００１５】
図２は、本実施形態の反射スクリーン１０の層構成を説明する図である。
図２では、反射スクリーン１０の観察画面（表示領域）の幾何学的中心となる点Ａ（図１（ａ），（ｂ）参照）を通り、画面上下方向に平行であって、スクリーン面に直交（厚み方向に平行）な断面の一部を拡大して示している。
反射スクリーン１０は、その映像源側（観察者側）から順に、表面層１５、基材層１４、レンズ層１３、反射層１２、光吸収層１１等を備えている。
基材層１４は、レンズ層１３を形成する基材となるシート状の部材である。この基材層１４の映像源側（観察者側）には、表面層１５が一体に形成され、背面側（裏面側）には、レンズ層１３が一体に形成されている。
基材層１４は、光拡散層１４１と、着色層１４２とを有している。本実施形態の基材層１４は、光拡散層１４１と着色層１４２とは一体に積層されている。本実施形態では、図２（ａ）に示すように、光拡散層１４１が背面側であり、着色層１４２が映像源側に位置する例を示したが、これに限らず、光拡散層１４１が映像源側に位置し、着色層１４２が背面側に位置する形態としてもよい。
【００１６】
光拡散層１４１は、光透過性を有する樹脂を母材とし、光を拡散する拡散材を含有する層である。この光拡散層１４１は、視野角を広げたり、明るさの面内均一性の向上を図ったりする機能を有する。
光拡散層１４１の母材となる樹脂は、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、アクリル系樹脂、ＴＡＣ（トリアセチルセルロース）樹脂、ＰＥＮ（ポリエチレンナフタレート）樹脂等を用いることができる。この光拡散層１４１の厚さは、１００〜２００μｍである。また、拡散材としては、アクリル系樹脂、エポキシ樹脂、シリコン系等の樹脂製の粒子や無機粒子等であり、その平均粒径が約１〜５０μｍであるものを使用できる。
本実施形態の光拡散層１４１は、一例として、アクリル樹脂製の平均粒径１０μｍの粒子（ガンツ化成株式会社製）を拡散材として含有するＭＢＳ樹脂を押出し成形した厚さ１５０μｍのシート状の部材を用いている。
【００１７】
着色層１４２は、所定の透過率とするための灰色や黒色等の染料や顔料等により着色が施された層である。本実施形態では、着色層１４２は、光拡散層１４１の映像源側（観察者側）に位置している。
この着色層１４２は、反射スクリーン１０に入射する照明光等の不要な外光を吸収したり、表示される映像の黒輝度を向上させたりして、映像のコントラストを向上させる機能を有する。
着色層１４２は、例えば、厚さが３０〜３０００μｍであり、染料や顔料を含有するＰＥＴ樹脂や、ＰＣ樹脂、ＭＳ樹脂、ＭＢＳ樹脂、アクリル系樹脂、ＴＡＣ樹脂、ＰＥＮ樹脂等により形成される。
本実施形態の基材層１４は、光拡散層１４１と着色層１４２とを共押し出しすることにより一体に積層されて形成されている。なお、基材層１４を単層とし、拡散材と顔料や染料等の着色材とを共に含有する形態としてもよい。
【００１８】
図３は、本実施形態のレンズ層１３を説明する図である。図３（ａ）は、レンズ層１３を背面側正面方向から観察した様子を示しており、理解を容易にするために、反射層１２や光吸収層１１は省略して示している。図３（ｂ）は、図２に示す断面の一部をさらに拡大して示している。
レンズ層１３は、基材層１４の背面側に設けられた光透過性を有する層であり、図３（ａ）に示すように、点Ｃを中心として単位レンズ１３１が同心円状に複数配列されたサーキュラーフレネルレンズ形状をその背面側に有している。この単位レンズ１３１が配列されて形成されるサーキュラーフレネルレンズは、その光学的中心であるフレネルセンターである点Ｃが、反射スクリーン１０の画面（表示領域）の領域外であって、反射スクリーン１０の下方に位置している。
なお、本実施形態では、レンズ層１３がサーキュラーフレネルレンズ形状を有する例を上げて説明するが、リニアフレネルレンズ形状を有する形態としてもよい。
【００１９】
単位レンズ１３１は、図２や図３（ｂ）に示すように、スクリーン面に直交する方向（反射スクリーン１０の厚み方向）に平行であって、単位レンズ１３１の配列方向に平行な断面における断面形状が、略三角形形状である。
この単位レンズ１３１は、背面側に凸であり、レンズ面１３１ａと、このレンズ面１３１ａと対向する非レンズ面１３１ｂとを備えている。
反射スクリーン１０の使用状態において、単位レンズ１３１は、レンズ面１３１ａが頂点ｔを挟んで非レンズ面１３１ｂよりも鉛直方向上側に位置している。
【００２０】
単位レンズ１３１において、図３（ｂ）に示すように、レンズ面１３１ａがスクリーン面に平行な面となす角度は、αであり、非レンズ面１３１ｂがスクリーン面に平行な面となす角度は、β（β＞α）である。
また、単位レンズ１３１の配列ピッチは、Ｐであり、単位レンズ１３１のレンズ高さ（スクリーンの厚み方向における頂点ｔから単位レンズ１３１間の谷底となる点ｖまでの寸法）は、ｈである。
理解を容易にするために、図２等では、単位レンズ１３１の配列ピッチＰ、角度α，βは、単位レンズ１３１の配列方向において一定であるように示している。しかし、本実施形態の単位レンズ１３１は、実際には、配列ピッチＰ等が一定であるが、角度αが単位レンズ１３１の配列方向においてフレネルセンターとなる点Ｃから離れるにつれて次第に大きくなっている。
【００２１】
なお、これに限らず、角度α等は、一定としてもよいし、配列ピッチＰが、単位レンズ１３１の配列方向に沿って次第に変化する形態としてもよく、映像光を投影する映像源ＬＳの画素（ピクセル）の大きさや、映像源ＬＳの投射角度（反射スクリーン１０のスクリーン面への映像光の入射角度）、反射スクリーン１０の画面サイズ、各層の屈折率等に応じて、適宜変更可能である。
【００２２】
このレンズ層１３は、ウレタンアクリレートやエポキシアクリレート等の紫外線硬化型樹脂により形成されている。なお、レンズ層１３は、電子線硬化型樹脂等の他の電離放射線硬化型樹脂により形成してもよい。
このレンズ層１３は、例えば、基材層１４の一方の面（本実施形態では、光拡散層１４１側の面）を、紫外線硬化型樹脂が充填されたサーキュラーフレネルレンズ形状を賦形する成形型に押圧し、紫外線を照射して硬化させた後に成形型から離型する紫外線成型法等により形成することができる。なお、レンズ層１３の形成方法は、適宜選択してよく、この限りではない。
【００２３】
反射層１２は、光を反射する作用を有する層である。この反射層１２は、少なくともレンズ面１３１ａに形成される。
本実施形態の反射層１２は、図２や図３（ｂ）に示すように、レンズ面１３１ａに形成されているが、非レンズ面１３１ｂには形成されていない。
反射層１２は、白色又は銀色系の塗料や、白色又は銀色系の顔料やビーズ等を含有する紫外線硬化型樹脂又は熱硬化性樹脂、銀やアルミニウム等の金属蒸着膜や金属箔等を粉砕した粒子や微小なフレークを含む塗料等を、スプレーコートや、ダイコート、スクリーン印刷、ワイピングによる溝充填等の各種塗布方法により塗布して硬化させることにより形成できる。また、反射層１２は、レンズ面１３１ａ上に、アルミニウムや銀、ニッケル等の金属を蒸着する、スパッタリングする、又は金属箔を転写する等により形成することができる。
本実施形態の反射層１２は、アルミニウムをレンズ面１３１ａに蒸着することにより形成されている。
【００２４】
光吸収層１１は、レンズ層１３及び反射層１２の背面側に設けられ、光を吸収する作用を有している。本実施形態の光吸収層１１は、反射層１２及び非レンズ面１３１ｂを被覆しており、非レンズ面１３１ｂに光吸収層１１が形成された形態となっている。
光吸収層１１は、黒色等の暗色系の塗料や、黒色等の暗色系の顔料や染料及び光吸収作用を有するビーズ等を含有する熱硬化型樹脂もしくは紫外線硬化型樹脂を、反射層１２をレンズ面１３１ａに形成したレンズ層１３の背面側（フレネルレンズ形状側）に塗布して硬化させることにより、形成される。
【００２５】
表面層１５は、基材層１４の映像源側（観察者側）に設けられる層である。本実施形態では、表面層１５は、この反射スクリーン１０の映像源側の最表面に形成されている。
図４は、表面層１５の厚み方向に平行な断面の一部を拡大して示した図である。なお、図４では、表面層１５と着色層１４２のみを示し、他の層は省略して示している。
図４に示すように、表面層１５は、映像源側の表面に微細な凹凸形状を有している。この微細な凹凸形状は、微小凸部１５１が複数不規則に配列されて形成されている。本実施形態の微小凸部１５１は、緩やかな曲面からなる凸形状であり、球面の一部形状等も含まれる。なお、これに限らず、微小凸部１５１は、図４に示す断面形状が楔状や矩形等となるような形状としてもよい。
この表面層１５は、反射スクリーン１０の映像源側表面の傷つきを低減するハードコート機能と、上方への映像光の正反射を抑制して天井への映像の映りこみを低減する機能と、スクリーンへの映り込みを低減する機能（防眩機能）とを有している。
この表面層１５は、その厚さが、１〜２５μｍ程度である。
【００２６】
この表面層１５は、基材層１４の一方の面に、ウレタンアクリレート等の紫外線硬化型樹脂を、微細凹凸形状を賦形可能な成形型（金型）に充填し、基材層１４の一方の面に押圧して紫外線を照射して硬化させ、離型する等により、微細凹凸形状が賦形可能である。なお、紫外線硬化型樹脂に限らず、他の電離放射線硬化型樹脂等を用いてもよい。
この表面層１５の微細凹凸形状を賦形する金型は、金属製の略平滑面である金型の表面を、ガラスビーズ等によりブラストすることにより形成される。なお、ブラスト材としては、ガラスビーズ以外にも、珪砂等の粉体や、アルミナ等の粒状物を用いることができる。また、ブラスト材としては、その平均粒径が５０〜３００μｍ程度であるものが好ましい。さらに、金型は、硬質銅や軟質銅、クロム製等であることが好ましく、例えば、金型の母材を硬質銅とし、その表面を、ブラスト加工した後クロムめっきして形成してもよい。
表面層１５は、基材層１４とは別層であって不図示の粘着材等により基材層１４に接合される形態としてもよいし、上述のように、基材層１４のレンズ層１３とは反対側の面に直接形成される形態としてもよい。
【００２７】
この表面層１５は、そのヘイズ値Ｈが、２０％≦Ｈ≦４０％を満たす。このヘイズ値Ｈは、この表面層１５を透明なＰＥＴ樹脂シート（１００μｍ厚）の片面に形成した試料を作成し、この試料に、光を一方の面から照射した場合の透過光のヘイズ値をヘイズメーター（ＡＳＴＭ  Ｄ−１００３対応のＨＭ−１５０  株式会社村上色彩技術研究所製）により測定したものである。本願明細書及び特許請求の範囲においてヘイズ値Ｈとは、上述のような測定方法を用いて測定したものであるとする。このヘイズ値Ｈの測定に用いたＰＥＴ樹脂シートは透明であり、そのヘイズ値は略０に等しいので、上述の試料のヘイズ値Ｈは、表面層１５のヘイズ値とみなすことができる。
【００２８】
ヘイズ値Ｈが大きい方が、反射スクリーン１０の表面である表面層１５の表面で反射する映像光が拡散される作用が大きいので、下方から投射された映像光が上方（天井側）へ正反射することにより生じる天井への映像の映りこみを低減できる。しかし、ヘイズ値Ｈを大きくしすぎると、映像光が拡散されて、映像がぼやけたり、白っぽくなってコントラストが低下したりするという問題がある。
従って、ヘイズ値Ｈは、上記範囲を満たすことが、天井への映像の映り込みを低減し、かつ、良好な映像を表示するという観点から好ましい。
【００２９】
また、この表面層１５は、微細凹凸形状の表面粗さである算術平均粗さＲａ（ＪＩＳ  Ｂ０６０１−２００１）が、０．２μｍ≦Ｒａ≦２．０μｍを満たしている。この算術平均粗さＲａは、ハンディサーフＥ−３５Ａ（株式会社東京精密製）により、この表面層１５を賦形する金型の賦形面の表面粗さを測定して得られた。本実施形態では、表面層１５は、紫外線成形法により、その微細凹凸形状が賦形されているため、その賦形率は略１００％に等しい。従って、金型表面の算術平均粗さＲａを、表面層１５の算術平均粗さＲａとして評価している。
表面層１５の算術平均粗さＲａは、その値が大きい方が、表面層１５の表面で反射する映像光が拡散反射される作用が大きくなる。従って、Ｒａの値が大きい方が、天井への映りこみを低減する効果が高くなる。しかし、Ｒａの値が大きすぎる場合は、映像のぼけやコントラストの低下を招き、好ましくない。従って、上記の範囲とすることが、天井への映り込みを低減し、かつ、良好な映像を表示する観点から好ましい。
【００３０】
本実施形態の反射スクリーン１０へ入射する映像光及び外光の様子を説明する。
図５は、反射スクリーン１０へ入射する映像光や外光の様子を説明する図である。図５（ａ）では、反射スクリーン１０の画面上下方向に平行であり、厚み方向に平行な断面の一部を拡大して示し、理解を容易にするために、反射スクリーン１０の各層の屈折率差や光拡散層１４１の拡散作用等は省略して示している。また、図５（ｂ），（ｃ）では、反射スクリーン１０，１０Ｂの画面上下方向に平行であり、厚み方向に平行な断面を大幅に簡略化して示している。
図５（ａ）に示すように、映像源ＬＳから投影された大部分の映像光Ｌ１は、反射スクリーン１０の下方から入射し、表面層１５及び基材層１４を透過してレンズ層１３の単位レンズ１３１へ入射する。
そして、映像光Ｌ１は、レンズ面１３１ａへ入射して反射層１２によって反射され、観察者Ｏ側へ向かって反射スクリーン１０から出射する。なお、角度β（図３（ｂ）参照）は、反射スクリーン１０の画面上下方向の各点における映像光Ｌ１の入射角度よりも大きく、かつ、映像光Ｌ１が反射スクリーン１０の下方から投射されるため、映像光Ｌ１が非レンズ面１３１ｂに直接入射することはなく、非レンズ面１３１ｂは、映像光Ｌ１の反射には影響しない。
【００３１】
一方、照明光等の不要な外光Ｇ１，Ｇ２は、図５（ａ）に示すように、主として反射スクリーン１０の上方から入射し、表面層１５及び基材層１４を透過してレンズ層１３の単位レンズ１３１へ入射する。
そして、一部の外光Ｇ１は、非レンズ面１３１ｂへ入射して、光吸収層１１によって吸収される。また、一部の外光Ｇ２は、レンズ面１３１ａで反射して、主として反射スクリーン１０の下方側へ向かうので、観察者Ｏ側には直接届かず、また、届いた場合にもその光量は、映像光Ｌ１に比べて大幅に少ない。従って、反射スクリーン１０では、外光Ｇ１，Ｇ２による映像のコントラスト低下を抑制できる。
【００３２】
さらに、反射スクリーンに下方から投影された映像光の一部には、反射スクリーンの映像源側の表面で反射する光が存在する。図５（ｂ）に示すように、微細凹凸形状を有する表面層１５を備えていない反射スクリーン１０Ｂの場合、特に、反射スクリーン１０Ｂの上方に到達してその表面で反射する光Ｌ２は、光Ｌ３のように反射スクリーン１０Ｂの上方へ略正反射して天井等に到達する。この光Ｌ３は、天井に映像が映り込こむ要因となり、映像の快適な視認の妨げとなる。反射スクリーン１０Ｂが暗室環境下に配置されている場合や、投射された映像が動画である場合には、天井への映り込み部分の明るさが目立ったり、天井部分にぼんやりとした動画が視認されたりするため、観察者Ｏにとって、反射スクリーン１０Ｂに表示される映像を視認する際に、快適な視認の大きな妨げとなる。
【００３３】
しかし、本実施形態の反射スクリーン１０によれば、図５（ｃ）に示すように、微細凹凸形状を有する表面層１５を備えているので、その表面で反射する光Ｌ２の多くを、図中に示す光Ｌ４のように拡散反射することができる。従って、天井への映像の映り込みの要因となる光を大幅に低減して映り込みを改善できる。また、この際に、観察者Ｏ側へ拡散反射される光量は少ないので、映像がボケたりコントラストが低下したりすることを大幅に低減でき、良好な映像を表示できる。
【００３４】
ここで、表面層１５に関して、そのヘイズ値や表面粗さ（算術平均粗さＲａ）を変化させた測定例１〜１８の表面層を作成し、これらの測定例１〜１８の表面層を備える反射スクリーンをそれぞれ作成して、天井への映像の映りこみや、コントラスト等を評価した。
図６は、天井への映像の映りこみを評価する評価方法を模式的に示した図である。
測定例１〜１８の表面層を備える反射スクリーンは、対角８０インチ（１７７１×９９６ｍｍ）であり、表面層のヘイズ値Ｈや算術平均粗さＲａが異なる以外は、同一の形状である。
【００３５】
この測定例１〜１８の表面層を備える各反射スクリーンをそれぞれ、室内の壁面に配置した。
各測定例の反射スクリーンの上方の天井部分には、白色スクリーン７０（ホワイトマット（ＫＰＶ−ＳＴ８０Ｗ  株式会社キクチ科学研究所製））が配置されている。
各測定例の反射スクリーンの上端から天井（白色スクリーン７０）までの寸法ｄ３＝０．２５ｍであり、スクリーンの下端から床までの寸法はｄ４＝０．５ｍある。
映像源ＬＳは、映像光を投射する投射口が、各測定例の反射スクリーンの画面左右方向中央から観察者側にｄ１＝０．３２ｍ、スクリーンの下端からｄ２＝０．１ｍの位置に配置され、各測定例の反射スクリーンの画面中央の点Ａへ映像光が画面上下方向において入射角度が６２°で入射する。この映像源ＬＳは、暗室環境下において、反射スクリーン１０の画面中央となる点Ａでの照度が１１００ｌｘとなる白色光を各測定例の反射スクリーンに投射する。
【００３６】
測定者Ｍは、各測定例の反射スクリーンの画面左右方向中央から映像源側にｄ５＝２ｍ、床面からｄ６＝１．０４ｍの位置に輝度計（コニカミノルタセンシング株式会社製  ＬＳ−１１０）を配置し、各測定例の反射スクリーンで反射され、天井に配置された白色スクリーン７０に光が到達した領域のうち、もっとも明るい部分の輝度を測定する。そして、最も明るい部分の輝度が、５０ｃｄ／ｃｍ２以下であるものを良とし、５０ｃｄ／ｃｍ２を超えるものを不可と評価した。
また、測定者Ｍは、暗室環境下で、各測定例の反射スクリーンの画面左右方向中央から映像源側にｄ７＝３ｍ、床からｄ８＝１．０４ｍの位置で、天井へ光が反射した領域（天井への光の映りこみ）の明るさを目視で判定し、映り込みが気にならないものを良（○）とし、映り込みが気になる（快適な視認が阻害される）ものを不可（×）として、評価した。
【００３７】
【表１】
2013130837.tif 000003
【００３８】
表１に示すように、本実施形態の実施例に相当し、ヘイズ値Ｈが、２０％≦Ｈ≦４０％の値を満たし、かつ、算術平均粗さＲａが、０．２≦Ｒａ≦２．０μｍを満たす測定例４〜１０，１４の表面層を備える反射スクリーンでは、天井への光が反射した部分の明るさが低減し、実際の天井外観の官能評価においても、映り込み部分が気にならなくなっている。
これに対して、ヘイズ値ＨがＨ＜２０％、又は、算術平均粗さＲａがＲａ＜０．２の少なくとも一方を満たす測定例１，３，１１〜１３の表面層を備える反射スクリーンでは、天井に映りこんだ部分の輝度が５０ｃｄ／ｃｍ２より大きく、その明るさが目立ち、反射スクリーンの映像の視認の妨げとなり、好ましくなかった。
【００３９】
また、ヘイズ値ＨがＨ＞４０％であり、算術平均粗さＲａがＲａ＜０．２となる測定例１５，１６の表面層を備える反射スクリーンでは、天井に映りこんだ部分の明るさは低減されたが、映り込み部分に茶色の波紋状の模様が観察され、好ましくなかった。
また、算術平均粗さＲａが０．２≦Ｒａ≦２．０μｍを満たすが、ヘイズ値ＨがＨ＞４０％となる測定例１７，１８は、天井への映り込みは低減されているが、映像のコントラストが低下したり、像がぼやけたりする現象が観察されたため、好ましくなかった。
【００４０】
以上のことから、本実施形態によれば、表面層１５は、そのヘイズ値Ｈが、２０％≦Ｈ≦４０％の値を満たし、かつ、その表面の微細凹凸形状の表面粗さが、算術平均粗さＲａが、０．２≦Ｒａ≦２．０μｍを満たすので、天井への映像光の映り込みを大幅に低減し、かつ、コントラストが高く良好な映像を表示することができる。
また、本実施形態によれば、映像光は、レンズ面１３１ａに形成された反射層１２によって効率よく観察者Ｏ側へ反射され、かつ、外光は、観察者Ｏ側とは異なる方向へ反射される又は光吸収層１１によって吸収されるので、明室環境下であっても、明るく、コントラストの高い良好な映像を表示できる。
【００４１】
（変形形態）
以上説明した実施形態に限定されることなく、種々の変形や変更が可能であって、それらも本発明の範囲内である。
（１）本実施形態において、表面層１５は、ハードコート機能、天井への映像光の映り込み低減機能、防眩機能を備える例を示したが、これに限らず、反射防止機能や紫外線吸収機能、防汚機能や帯電防止機能等を適宜選択してさらに付与してもよい。これらの層は、上述の表面層１５と基材層１４との間に別層として設けてもよいし、表面層１５を形成する樹脂に、上述の機能を有するものを選択して形成してもよい。
【００４２】
（２）本実施形態において、単位レンズ１３１は、図２等に示す断面形状が略三角形形状である例を示したが、これに限らず、例えば、略台形形状であり、レンズ面と非レンズ面とが、スクリーン面に平行な頂面を挟んで対向する形態としてもよい。このとき、頂面は、映像光の反射に寄与しない領域に形成されることが好ましい。頂面上には、光吸収層を形成してもよいし、反射層を形成してもよい。
【００４３】
（３）本実施形態において、反射スクリーン１０は、光吸収層１１を備え、非レンズ面１３１ｂが、光吸収層１１で被覆される例を示したが、これに限らず、光吸収層１１を備えず、非レンズ面１３１ｂ上にも反射層１２が形成される形態としてもよい。
この場合、反射層１２は、単位レンズ１３１間の谷部を充填しその背面側の面が略平面状としてもよいし、単位レンズ１３１の凹凸形状に沿って所定の厚さで形成される形態としてもよいし、十分な反射特性を有しているならば、その厚さが均一でなくともよい。
【００４４】
（４）本実施形態において、反射スクリーン１０は、さらに、反射スクリーン１０の画面の平面性を維持するために、ガラス製や樹脂製である剛性の高い基板層を備えてもよい。
また、本実施形態において、基材層１４は、光拡散層１４１と着色層１４２とを備える例を示したが、これに限らず、どちらかのみである形態としてもよい。
【００４５】
（５）本実施形態において、反射スクリーン１０は、その背面側に設けられた支持板５０に不図示の粘着材層等を介して接合されており、略平板状である例を示したが、これに限らず、例えば、支持板５０を備えず、反射スクリーン１０が粘着材層等を介して壁面等に接合される形態としてもよいし、支持板５０を裏面に接合した状態で壁面に固定されたり、フック等の支持部材で壁面に吊り下げされる形態等としてもよい。
また、本実施形態において、反射スクリーン１０は、使用時及び不使用時には略平板状である例を示したが、これに限らず、不使用時には巻き取って保管できる巻き取り可能な形態としてもよい。このような形態の場合には、支持板５０等を設けず、反射スクリーン１０の背面側を、光を透過しにくい布製又は樹脂製の遮光幕や耐傷性を向上させる保護層等で被覆する形態とすれば、コントラスト向上や、レンズ層や反射層の破損の防止を図ることができる。
【００４６】
（６）本実施形態において、単位レンズ１３１は、図２等に示す断面において、レンズ面１３１ａ及び非レンズ面１３１ｂが直線状となる例を示したが、これに限らず、この断面において、例えば、レンズ面１３１ａや非レンズ面１３１ｂの一部が曲線状となっていてもよい。
また、本実施形態において、単位レンズ１３１のレンズ面１３１ａ及び非レンズ面１３１ｂは、いずれも１つの面である例を示したが、これに限らず、例えば、少なくとも一方の面が、複数の面から構成される形態としてもよい。
【００４７】
（７）本実施形態において、レンズ層１３が、紫外線硬化型樹脂製であり、基材層１４の片面（光拡散層１４１側の面）に紫外線成形法により一体に形成される例を示したが、これに限らず、例えば、熱可塑性樹脂製等であり、押し出し成形法や射出成形法等によりレンズ層を形成してもよい。
このとき、レンズ層１３に十分な厚みがあれば、基材層１４を備えない形態としてもよい。また、押し出し成形法の場合には、レンズ層１３と基材層１４とを一体に積層した状態で押し出し成形してもよい。このような形態とすることにより、大量生産がさらに容易になり、安価に提供できる。
【００４８】
（８）本実施形態において、反射スクリーン１０の最も映像源側（観察者側）に表面層１５が設けられる例を示したが、これに限らず、例えば、基材層１４の光拡散層１４１を映像源側、着色層１４２を背面側とし、光拡散層１４１を表面層とし、その映像源側表面に、押し出し成形時に微細凹凸形状を形成する形態としてもよい。
【００４９】
（９）本実施形態において、映像源ＬＳは、鉛直方向において反射スクリーン１０より下方に位置し、映像光Ｌが反射スクリーン１０の下方から斜めに投射される例を示したが、これに限らず、例えば、映像源ＬＳが、鉛直方向において反射スクリーン１０より上方に位置し、映像光Ｌが反射スクリーン１０の上方から斜めに投射される形態としてもよい。このとき、反射スクリーン１０は、図２や図３等に示すレンズ層１３の上下方向を反転させ、サーキュラーフレネルレンズの光学的中心（フレネルセンター）である点Ｃが反射スクリーン１０の上方に位置する形態とすればよい。
【００５０】
なお、本実施形態及び変形形態は、適宜組み合わせて用いることもできるが、詳細な説明は省略する。また、本発明は以上説明した実施形態等によって限定されることはない。
【符号の説明】
【００５１】
１    映像表示システム
１０    反射スクリーン
１１    光吸収層
１２    反射層
１３    レンズ層
１３１ａ    レンズ面
１３１ｂ    非レンズ面
１４    基材層
１４１    光拡散層
１４２    着色層
１５    表面層
５０    支持板
ＬＳ    映像源
【図１】
2013130837.tif 000004
【図２】
2013130837.tif 000005
【図３】
2013130837.tif 000006
【図４】
2013130837.tif 000007
【図５】
2013130837.tif 000008
【図６】
2013130837.tif 000009